(57)【要約】【課題】撮影時のタイムラグを短縮し、シャッタチャンスに強いタイムラグ短縮機能付きカメラを提供する。【解決手段】所定のシーケンス終了後に撮影可能な電池の状態を判定するためのバッテリーチェックを行い、その結果次回の撮影に支障が無いレベルの場合には、所定時間、被写体の輝度を測定する測光手段７の電源をオン状態にする機能を有する制御装置１を備えたタイムラグ短縮機能付きカメラ。【選択図】　　　　図１
2004109522.tif 000002
【特許請求の範囲】
【請求項１】
所定のシーケンス終了後に撮影可能な電池の状態を判定するためのバッテリーチェックを行い、その結果次回の撮影に支障が無いレベルの場合には、所定時間、被写体の輝度を測定する測光手段の電源をオン状態にする機能を有する制御装置を備えたことを特徴とするタイムラグ短縮機能付きカメラ。
【請求項２】
請求項１記載のタイムラグ短縮機能付きカメラにおいて、制御装置は、測光手段の電源がオン状態の時に撮影が行われた場合は、撮影前のバッテリーチェックを停止することを特徴とするタイムラグ短縮機能付きカメラ。
【請求項３】
請求項１記載のタイムラグ短縮機能付きカメラにおいて、制御装置は、測光手段の電源がオン状態の時に撮影が行われた場合は、測光の待ち時間を通常より短縮することを特徴とするタイムラグ短縮機能付きカメラ。
【請求項４】
請求項１記載のタイムラグ短縮機能付きカメラにおいて、所定のシーケンス終了後とは、フィルム装填１枚目セット後であることを特徴とするタイムラグ短縮機能付きカメラ。
【請求項５】
請求項１記載のタイムラグ短縮機能付きカメラにおいて、所定のシーケンス終了後とは、メインスイッチオン後であることを特徴とするタイムラグ短縮機能付きカメラ。
【請求項６】
請求項１記載のタイムラグ短縮機能付きカメラにおいて、所定のシーケンス終了後とは、ズーム作動後であることを特徴とするタイムラグ短縮機能付きカメラ。
【請求項７】
請求項１記載のタイムラグ短縮機能付きカメラにおいて、所定のシーケンス終了後とは、撮影終了後であることを特徴とするタイムラグ短縮機能付きカメラ。
【請求項８】
請求項１記載のタイムラグ短縮機能付きカメラにおいて、所定のシーケンス終了後とは、各種撮影モード変更後であることを特徴とするタイムラグ短縮機能付きカメラ。
【請求項９】
請求項１記載のタイムラグ短縮機能付きカメラにおいて、所定のシーケンス終了後とは、電池交換後であることを特徴とするタイムラグ短縮機能付きカメラ。
【請求項１０】
請求項１記載のタイムラグ短縮機能付きカメラにおいて、所定時間を変更可能修正モードを有することを特徴とするタイムラグ短縮機能付きカメラ。
【請求項１１】
請求項１記載のタイムラグ短縮機能付きカメラにおいて、制御装置は、所定時間の長さによりバッテリーチェックレベルを自動的に変更することを特徴とするタイムラグ短縮機能付きカメラ。
【発明の詳細な説明】
【０００１】
【発明の属する技術分野】
本発明は、タイムラグ短縮機能付きカメラに関し、特にレリーズタイムラグ削減技術に関するものである。
【０００２】
【従来の技術】
タイムラグ短縮機能付きカメラにおけるレリーズタイムラグ削減技術に関連する従来技術として、特許文献１が存在する。該公報に記載された技術は、あらかじめ絞り値毎の過焦点距離に、レンズを駆動しておき、測光の結果設定した絞りより小絞りの場合は、そのまま撮影するようにしたものである。
【０００３】
また、特許文献２「電子スチルカメラ」は、撮影スタンバイモード＋各種センサ（撮影者接触、接眼など）判定することで、測光、測距を開始しタイムラグを短縮する技術を開示している。
【０００４】
【特許文献１】
特開平０８−０７６１６９号公報
【特許文献２】
特開２０００−３３３０５５号公報
【０００５】
【発明が解決しようとする課題】
従来技術では、撮影の意図があるとカメラが判断したときに、あらかじめ測光、測距を行っていたため、ユーザが意図した被写体以外の輝度、距離を測定してしまい無駄が多かった。また各種センサが必要でコストがかかっていた。一方被写体が深度内に入れば、ジャストピントで無くても撮影を行うカメラでは、タイムラグ的には満足できても、できあがった写真に対する価格相応の満足感が得られなかった。
【０００６】
また従来技術では、カメラ各種動作後にバッテリーチェックを行い、以降所定時間以内の撮影に対する電池の状態を保証するという考え方は無かった。
【０００７】
さらに従来技術では、カメラ各種動作後にバッテリーチェックを行い、以降所定時間以内の撮影に対する電池の状態を保証し、その間に測光ＩＣの電源だけＯＮしておく（データは取得しない）という考え方は無かった。
【０００８】
本発明は、撮影時のタイムラグを短縮し、シャッタチャンスに強いタイムラグ短縮機能付きカメラを提供することを目的とする。
【０００９】
【課題を解決するための手段】
上記目的を達成するために、請求項１記載の発明は、所定のシーケンス終了後に撮影可能な電池の状態を判定するためのバッテリーチェックを行い、その結果次回の撮影に支障が無いレベルの場合には、所定時間、被写体の輝度を測定する測光手段の電源をオン状態にする機能を有する制御装置を備えたタイムラグ短縮機能付きカメラを最も主要な特徴とする。
【００１０】
請求項２記載の発明は、請求項１記載のタイムラグ短縮機能付きカメラにおいて、制御装置は、測光手段の電源がオン状態の時に撮影が行われた場合は、撮影前のバッテリーチェックを停止するタイムラグ短縮機能付きカメラを主要な特徴とする。
【００１１】
請求項３記載の発明は、請求項１記載のタイムラグ短縮機能付きカメラにおいて、制御装置は、測光手段の電源がオン状態の時に撮影が行われた場合は、測光の待ち時間を通常より短縮するタイムラグ短縮機能付きカメラを主要な特徴とする。
【００１２】
請求項４記載の発明は、請求項１記載のタイムラグ短縮機能付きカメラにおいて、所定のシーケンス終了後とは、フィルム装填１枚目セット後であるタイムラグ短縮機能付きカメラを主要な特徴とする。
【００１３】
請求項５記載の発明は、請求項１記載のタイムラグ短縮機能付きカメラにおいて、所定のシーケンス終了後とは、メインスイッチオン後であるタイムラグ短縮機能付きカメラを主要な特徴とする。
【００１４】
請求項６記載の発明は、請求項１記載のタイムラグ短縮機能付きカメラにおいて、所定のシーケンス終了後とは、ズーム作動後であるタイムラグ短縮機能付きカメラを主要な特徴とする。
【００１５】
請求項７記載の発明は、請求項１記載のタイムラグ短縮機能付きカメラにおいて、所定のシーケンス終了後とは、撮影終了後であるタイムラグ短縮機能付きカメラを主要な特徴とする。
【００１６】
請求項８記載の発明は、請求項１記載のタイムラグ短縮機能付きカメラにおいて、所定のシーケンス終了後とは、各種撮影モード変更後であるタイムラグ短縮機能付きカメラを主要な特徴とする。
【００１７】
請求項９記載の発明は、請求項１記載のタイムラグ短縮機能付きカメラにおいて、所定のシーケンス終了後とは、電池交換後であるタイムラグ短縮機能付きカメラを主要な特徴とする。
【００１８】
請求項１０記載の発明は、請求項１記載のタイムラグ短縮機能付きカメラにおいて、所定時間を変更可能修正モードを有するタイムラグ短縮機能付きカメラを主要な特徴とする。
【００１９】
請求項１１記載の発明は、請求項１記載のタイムラグ短縮機能付きカメラにおいて、制御装置は、所定時間の長さによりバッテリーチェックレベルを自動的に変更するタイムラグ短縮機能付きカメラを主要な特徴とする。
【００２０】
【発明の実施の形態】
以下、図面により本発明の実施の形態を詳細に説明する。図１は本発明の実施の形態に係るタイムラグ短縮機能付きカメラの機能ブロック図である。図１において、制御装置１は、カメラの全機能を制御するマイクロコンピュータ（マイコン）などのコントローラである。
【００２１】
この制御装置１には、ＲＬスイッチ（１）２、（２）３、表示手段４、シャッタ手段５、フォーカス手段６、測光手段７、測距手段８、フィルム給送手段９、ＥＥＰＲＯＭ１０が接続されている。
【００２２】
ＲＬスイッチ（１）２、（２）３は、撮影を行うためのスイッチで、ＲＬスイッチ（１）２がＯＮされることにより、バッテリーチェック（以下ＢＣ）、測光、測距、フォーカス動作などを行い、その状態からＲＬスイッチ（２）３がＯＮされることでシャッタ開閉、フィルム給送などを行い撮影動作を完了する。
【００２３】
測光手段７は、被写体の明るさを測光し、制御装置１に伝える機能を備えたいわゆる、測光ＩＣである。測光情報は、上記制御装置１で各種演算を行い、被写体輝度情報として残されるとともに、シャッタ制御時間、Ｆ値情報などに変換される。
【００２４】
表示手段４、シャッタ手段５、フィルム給送手段９はそれぞれ、表示、シャッタ開閉、フィルム給送を司る。測光ＩＣ７は、省電力化のため、測光動作終了後は、電源ＯＦＦ状態となっている。
【００２５】
一連の撮影が行われたあと、再びＢＣ動作を行い、その結果がＯＫ（ここでは１０秒間の測光ＩＣ７のＯＮと次回の撮影が可能な電源状態）であれば、測光ＩＣ７を再度ＯＮし、１０秒間撮影待機状態とする。すなわちこの間に、ＲＬスイッチ（１）２が押されれば、ＢＣ（強負荷を掛けて電源レベルが落ち着いたあと測定する）、及び測光ＩＣ７の測光待ち時間（通常は暗ければ、長くなる）をなくすことができる（給送終了直後にＲＬスイッチ（１）２が押された場合は従来通りであるが、そのようなことは、ごくまれであると考えられる）。すなわち、毎回ＲＬスイッチ（１）２、（２）３が押されてから撮影が行われるまでのタイムラグを　１００ｍｓ〜２００ｍｓ確実に短縮することが可能である。
【００２６】
図２はズーム動作後の処理のフローチャートである。Ｓ１〜Ｓ６において、ＢＣ動作に関連して上述した処理がなされる。図３は撮影終了後の処理のフローチャートである。Ｓ１１〜Ｓ３０において、ＢＣ動作、測光ＩＣ７のＯＮ、各手段の動作等、図に示す処理がなされる。
【００２７】
上記動作を、ユーザの撮影が予測される各種動作後、すなわちフィルム装填後（裏蓋を開けてフィルムを装填し裏蓋を閉めて、フィルムの１コマ目が自動セットされたあと）、メインスイッチのＯＮ後（ズームが初期位置にセットされた後）、ズーム動作後（ユーザが画角を決定したあと）、各種撮影モードセット（変更）後、電池交換後等に行うことにより、より使い勝手のよいシステムにすることができる。
【００２８】
また、測光ＩＣ７をＯＮする時間についても、ＥＥＰＲＯＭ１０などにより、設定／変更が可能なモードを設けることにより、ユーザ毎に最適な値にすることができる構成としてもよい。
【００２９】
また、上記ＯＮ時間を長くすると次回撮影までに電池状態が変化することも考えられるため、ＯＮ時間に応じてバッテリーチェックＯＫとするレベルを自動的に変更する構成としてもよく、温度センサと併用してより精度を高める構成としてもよい。
【００３０】
【発明の効果】
本発明によれば、既存のカメラの構成に新たな部品を追加することなく、また設定時間を短くすることで省エネ性をそれほど損なうことなく、従来カメラより撮影時のタイムラグを確実に短くしたタイムラグ短縮機能付きカメラを提供することができる。
【図面の簡単な説明】
【図１】本発明の実施の形態に係るタイムラグ短縮機能付きカメラの機能ブロック図である。
【図２】ズーム動作後の処理のフローチャートである。
【図３】撮影終了後の処理のフローチャートである。
【符号の説明】
１　制御装置
７　測光手段
【図１】
2004109522.tif 000003
【図２】
2004109522.tif 000004
【図３】
2004109522.tif 000005